(57)【要約】【課題】  着脱が容易で美観性の優れたボディスーツおよび水着を提供する。【解決手段】  腹部および胸部を覆うように形成されたボディスーツ等であって、前側の胸部の左右に形成された２つのカップ部５，６と、前側において、少なくとも一部が重なるように形成された内側前身頃１ａおよび外側前身頃２ａとを備える。左右のうち一方のカップ部であるカップ部５が内側前身頃１ａに接続され、他方のカップ部であるカップ部６が外側前身頃２ａに接続され、カップ部５とカップ部６とは、直接的に互いに接続されず、互いに離すことができるように形成されている。【選択図】        図１
0003101901.tif 000002
【実用新案登録請求の範囲】
【請求項１】
腹部および胸部を覆うように形成されたボディスーツであって、
前側の胸部の左右に形成された２つのカップ部と、
前側において、少なくとも一部が重なるように形成された内側前身頃および外側前身頃と
を備え、
左右のうち一方のカップ部が前記内側前身頃に接続され、他方のカップ部が前記外側前身頃に接続され、
前記一方のカップ部と前記他方のカップ部とは、直接的に互いに接続されず、互いに離すことができるように形成された、ボディスーツ。
【請求項２】
前記内側前身頃の上端は、前記一方のカップ部の上端と連続的に接続され、
前記外側前身頃の上端は、前記他方のカップ部の上端と連続的に接続され、
前記内側前身頃は、少なくとも腹部まで覆うように形成された、請求項１に記載のボディスーツ。
【請求項３】
前記内側前身頃の上端は、前記一方のカップ部の上端と連続的に接続され、
前記外側前身頃の上端は、前記他方のカップ部の上端と連続的に接続され、前記他方のカップ部と接続されている側と反対側の端が、ほぼ腰の位置になるように形成された、請求項１または２に記載のボディスーツ。
【請求項４】
前記外側前身頃と前記内側前身頃とは、身体の側方となる部分で接続された、請求項１から３のいずれかに記載のボディスーツ。
【請求項５】
前記内側前身頃の上端は、前記一方のカップ部の上端と連続的に接続され、
前記外側前身頃の上端は、前記他方のカップ部の上端と連続的に接続され、
前記内側前身頃の下端は、胸部と腹部との間で前記外側前身頃に接続された、請求項１に記載のボディスーツ。
【請求項６】
前記内側前身頃と前記外側前身頃とを互いに固定するための固定部を備える、請求項１から５のいずれかに記載のボディスーツ。
【請求項７】
腹部および胸部を覆うように形成された水着であって、
前側の胸部の左右に形成された２つのカップ部と、
前側において、少なくとも一部が重なるように形成された内側前身頃および外側前身頃と
を備え、
左右のうち一方のカップ部が前記内側前身頃に接続され、他方のカップ部が前記外側前身頃に接続され、
前記一方のカップ部と前記他方のカップ部とは、直接的に互いに接続されず、互いに離すことができるように形成された、水着。
【請求項８】
前記内側前身頃の上端は、前記一方のカップ部の上端と連続的に接続され、
前記外側前身頃の上端は、前記他方のカップ部の上端と連続的に接続され、
前記内側前身頃は、少なくとも腹部まで覆うように形成された、請求項７に記載の水着。
【請求項９】
前記内側前身頃の上端は、前記一方のカップ部の上端と連続的に接続され、
前記外側前身頃の上端は、前記他方のカップ部の上端と連続的に接続され、前記他方のカップ部と接続されている側と反対側の端が、ほぼ腰の位置になるように形成された、請求項７または８に記載の水着。
【請求項１０】
前記内側前身頃の上端は、前記一方のカップ部の上端と連続的に接続され、
前記外側前身頃の上端は、前記他方のカップ部の上端と連続的に接続され、
前記内側前身頃の下端は、胸部と腹部との間で前記外側前身頃に接続された、請求項７に記載の水着。
【考案の詳細な説明】
【技術分野】
【０００１】
本考案はボディスーツおよびワンピース型の水着に関する。
【背景技術】
【０００２】
女性用下着のうち、体型を整えるものの中に、ボディスーツがある。ボディスーツは、上半身のうち、腹部、胸部および臀部を覆うように形成されている。ボディスーツは、主にブラジャーとガードルとの機能を兼ね備えており、胸部から臀部に至るそれぞれの部分と全体のシルエットとを美しく整えるものである。
【０００３】
図８に、従来の技術に基づくボディスーツの斜視図を示す。ボディスーツは、身頃１２によって、腹部、胸部および臀部が覆われるように形成されている。ボディスーツの上部の左右両側には、ボディスーツを肩にかけるための肩ひも９が形成されている。ボディスーツは、一般的にブラジャーの機能を有するカップ部５，６を備える。カップ部５とカップ部６とは身頃１２を介して直接的に互いに固定され、カップ部５とカップ部６とを離すことはできないように形成されている。
【０００４】
身頃１２は、複数の生地が縫合されて形成されている。それぞれの生地は、複数の縫合線２７において縫合されている。複数の生地のうち、特に締め付ける必要がある部分については、伸縮性が強い生地が使われていたり、生地自体が二重になっていたりする。たとえば、腰の部分を強く締め付ける場合においては、腰の部分に接する生地については、伸縮性の強い生地を用いる。また、ボディスーツには、臀部の形状をよく見せたり、胸部を大きく見せたりするいわゆるヒップアップやバストアップの効果を有するものもある。
【０００５】
ボディスーツは、多くの機能を有するため、着用した際には、上半身の全体が締め付けられるような感を有するほどに体に密着する。このため、ボディスーツは着脱が難しい。着用の際、一般的には、まず初めにボディスーツの上半分を外側に折り返しておき、脚開口部に両足を通して、腰の部分あたりまでボディスーツを着用する。その後に、折り返した上半分を元に戻しながら下側から上側に向けて順次着用する。次に、肩ひもに腕を通して肩ひもを肩にかける。ボディスーツを脱ぐときには、逆の手順で行なう。
【０００６】
図８に示したボディスーツの形状と似たものにワンピース型の水着がある。水着についても同様に体に密着するように形成されているため、着用の際には、ボディスーツと同様に、水着の上半分を折り返して腰のあたりまで着用した後に、上半分を元に戻すようにしている。水着についても伸縮性を有する生地が用いられることが多いが、一般的にボディスーツの生地は、横方向に伸縮性を有するものが用いられ、水着の生地は、等方的に伸縮性を有する生地が用いられることが多い。また、ボディスーツは、複数の生地が用いられたり、重ねられる枚数が部分的に異なっていたりすることがあるが、水着は、ほぼ１種類の耐水性のある生地によって形成されている。このような、生地の違いを除いては、ボディスーツとワンピース型の水着とは、その形状などが共通する。本明細書においては、ボディスーツおよびワンピース型の水着を合わせて「ボディスーツ等」という。
【考案の開示】
【考案が解決しようとする課題】
【０００７】
上記のように、ボディスーツにおいては、体を強く締め付けるものが多いため、着用の際には、ほぼ上半分を外側に折り返した状態で折り返した開口部から脚開口部に脚を挿入する。この状態においては、ボディスーツは、折り返した部分において２重の状態になっている。もともと強い伸縮性のある生地や多重になっている生地が、さらに２重になっている状態で臀部を通す必要がある。脚を挿入してほぼ腰の位置まで着用する際に、しばしば臀部が通らず、または非常に通りにくく着用することが困難である場合があった。特に、図８において、２本の肩ひも９に挟まれる開口部は、頭を出す部分であるため、小さく形成されていることが多い。このため、この開口に臀部を通すことが困難であることがしばしば生じていた。ボディスーツの後側の上部（背中の上部にあたる部分）において、肩ひも９に繋がっている切り欠いた部分を大きくすることによって、この開口部を大きくすることができるが、この切り欠いた部分を大きくすると、体の締め付け効果が弱くなったり、見栄えが悪くなったりするという問題があった。
【０００８】
また、ボディスーツの中には、部分的にクロッチが形成されているもの（開閉式のもの）がある。たとえば、ボディスーツの２つの脚開口部に挟まれる部分に、クロッチが形成され、ボディスーツの下側から頭を通すように着脱することができるものがある。しかし、クロッチが採用されたボディスーツについても、細く形成された腰の部分に肩を通さなくてはならず、非常に着づらいという問題があった。
【０００９】
図９に、着脱時の不便を考慮したボディスーツの背面斜視図を示す。このボディスーツの前面は、図８と同じである。このボディスーツは、２本の肩ひも９が繋がっている背中の切欠きが大きくなるように形成されている。また、これに加えて、背中に当接する部分のうち、右の肩ひもと左の肩ひもとが合流する部分において、それぞれの肩ひもに繋がる生地が重なり合った重なり部１４が形成されている。重なり部１４の側方と下方は縫合されているが、重なり部１４の上方は縫合されていない。このため、後側において、２本の肩ひもを左右両側に大きく広げることができ、着脱が容易になるというものである。しかし、このボディスーツにおいては、上半分を折り返して腰の部分までボディスーツを着用することが比較的容易に行なえても、折り返した部分を元に戻していくときに、腕を後側に曲げる必要があるため、肩ひもに腕を通すことが難しいという問題があった。
【００１０】
また、ボディスーツの中には、ボディスーツの前面において、２つのカップ部の接続部を起点として、下側に向かって開閉可能なファスナーが形成されているものがある。このボディスーツは、着脱の際にファスナーを開けて２本の肩ひもと身頃で囲まれる空間を大きくしようとするものである。しかし、このボディスーツについても、ボディスーツを着用した後に、ファスナーを上側に上げて完全に閉めることが難しいという問題があった。また、ファスナーが直接体に接触するため、着心地が悪く、また、前面の中央部にファスナーが見えてしまうため、外観が好ましくないという問題があった。
【００１１】
ワンピース型の水着についても、上記と同様に着脱が難しいという問題があった。
【００１２】
本考案は、上記の問題点を解決するためになされたものであり、着脱が容易で美観性の優れたボディスーツおよび水着を提供することを目的とする。
【課題を解決するための手段】
【００１３】
上記目的を達成するため、本考案に基づくボディスーツ等は、腹部および胸部を覆うように形成されたボディスーツ等であって、前側の胸部の左右に形成された２つのカップ部と、前側において、少なくとも一部が重なるように形成された内側前身頃および外側前身頃とを備え、左右のうち一方のカップ部が上記内側前身頃に接続され、他方のカップ部が上記外側前身頃に接続され、上記一方のカップ部と上記他方のカップ部とは、直接的に互いに接続されず、互いに離すことができるように形成されている。この構成を採用することにより、着脱が容易で、美観性に優れたボディスーツ等を提供することができる。
【００１４】
上記考案において好ましくは、上記内側前身頃の上端は、上記一方のカップ部の上端と連続的に接続され、上記外側前身頃の上端は、上記他方のカップ部の上端と連続的に接続され、上記内側前身頃は、少なくとも腹部まで覆うように形成されている。この構成を採用することにより、美観性がさらに優れ、腹部においては上記内側前身頃と上記外側前身頃とが重なり合う二重の構成になるため、腹部の締め付け効果が大きくなる。
【００１５】
上記考案において好ましくは、上記内側前身頃の上端は、上記一方のカップ部の上端と連続的に接続され、上記外側前身頃の上端は、上記他方のカップ部の上端と連続的に接続され、上記他方のカップ部と接続されている側と反対側の端が、ほぼ腰の位置になるように形成されている。この構成を採用することにより、美観性がさらに優れるとともに、着脱がさらに容易になる。
【００１６】
上記考案において好ましくは、上記外側前身頃と上記内側前身頃とは、身体の側方となる部分で接続されている。この構成を採用することにより、上記身体の前側になる部分においては、縫合などによって接続されていないため、美観性がさらに優れる。
【００１７】
上記考案において好ましくは、上記内側前身頃の上端は、上記一方のカップ部の上端と連続的に接続され、上記外側前身頃の上端は、上記他方のカップ部の上端と連続的に接続され、上記内側前身頃の下端は、胸部と腹部との間で上記外側前身頃に接続されている。この構成を採用することにより、腹部の締め付けが弱くてよい場合に、上記腹部の締め付け効果を弱くすることができる。
【００１８】
上記考案において好ましくは、上記内側前身頃と上記外側前身頃とを互いに固定するための固定部を備える。この構成を採用することにより、身体の締め付け効果を大きくすることができ、また、着用安定性が向上する。
【考案の効果】
【００１９】
本考案によれば、着脱が容易で、美観性の優れたボディスーツおよび水着を提供することができる。
【考案を実施するための最良の形態】
【００２０】
（実施の形態１）
（構成）
図１から図６を参照して、本考案に基づく実施の形態１におけるボディスーツについて説明する。
【００２１】
図１は、本実施の形態における第１のボディスーツの斜視図であり、図２は、背面の斜視図である。本実施の形態におけるボディスーツは、腹部および胸部を覆うように形成されている。胸部には、２つのカップ部５，６が形成されている。本考案に基づくボディスーツは、内側前身頃１ａと内側前身頃１ａを覆うように形成された外側前身頃２ａとを備える。ボディスーツの下部においては、脚を通すための脚開口部３０が２つ形成されている。
【００２２】
内側前身頃１ａは、身体の前側のうち、胸部の下側から腹部の下側まで覆うように形成されている。内側前身頃１ａは、身体の側方において、外側前身頃２ａに縫合されている。また、内側前身頃１ａは、脚開口部３０の輪郭に沿って、外側前身頃２ａに縫合されている。また、内側前身頃１ａの下部においては、２つの脚開口部３０に挟まれる部分に形成された縫合線２０において外側前身頃２ａと縫合されている。外側前身頃２ａは、体の前側を覆うように形成され、後身頃１１と身体の側方および２つの脚開口部３０に挟まれる部分で縫合されている。
【００２３】
ボディスーツは、身体の前側の胸部の下側から腹部にかけて、内側前身頃１ａと外側前身頃２ａとの２重になるように形成されている。後身頃１１は、体の後側のうち、臀部から背中の部分を覆うように形成されている。
【００２４】
内側前身頃１ａと外側前身頃２ａとは、互いに縫合されている部分を除いて、自由に動くことができるように形成されている。内側前身頃１ａの上端３ａおよび外側前身頃の上端４ａは、いずれの部分にも固定されておらず、自由端になっている。また、腹部を覆っている部分についても、内側前身頃１ａと外側前身頃２ａとは縫合されておらず、互いに離すことができるように形成されている。
【００２５】
内側前身頃１ａの上側には、胸部の左右に形成された２つのカップ部のうち、一方のカップ部５が縫合によって接続されている。外側前身頃２ａの上側には、他方のカップ部６が縫合によって接続されている。カップ部５，６は、厚めの生地で形成され、断面が山型になるように前側に突出して形成されている。一方のカップ部５は、内側前身頃１ａと一体的に動くように形成されている。また、他方のカップ部６は、下端が外側前身頃２ａと縫合によって接続され、外側前身頃２ａと一体的に動くように形成されている。一方のカップ部５と他方のカップ部６とは、直接的に互いに接続されず、互いに離すことができるように形成されている。
【００２６】
２つのカップ部５，６の上端には、ボディスーツを肩にかけるための肩ひも９がそれぞれ形成されている。肩ひも９はカップ部５，６から後側に向かって形成され、後側においては、後身頃１１に接続されている。
【００２７】
ボディスーツの背面においては、図９に示したボディスーツのような肩ひもの延長上の生地が互いに重なり合った重なり部１４（図９参照）は形成されておらず、２本の肩ひも９は、後身頃１１に接続されている。また、ボディスーツには、多くの縫合線２２が形成されている。
【００２８】
図３に、本実施の形態における第１のボディスーツの上部の拡大斜視図を示す。一方のカップ部５の上端７は、内側前身頃１ａの上端３ａと連続的に接続されている。すなわち、上端７と上端３ａとが接合する部分は、段差などの不連続部分がなく、１つの曲線状、または直線状に形成されている。一方のカップ部５の上端７と同様に、他方のカップ部６の上端８は、外側前身頃２ａの上端４ａと連続的に接続されている。
【００２９】
図４に、本実施の形態における第２のボディスーツの斜視図を示す。前側の身頃として、互いに重なり合う２枚の身頃を備えることや、それぞれの身頃に一方または他方のカップ部が接続され、２つのカップ部は直接的に互いに接続されず、互いに離すことができるように形成されていることなどは、第１のボディスーツと同様である。
【００３０】
第２のボディスーツは、外側前身頃２ｂの上端４ｂの一方がカップ部６の上端８に接続され、他方が下側の腰の部分に向かって大きく傾斜するように形成されている。すなわち、外側前身頃２ｂの上端４ｂのうち、カップ部６と接続されている側と反対側の端が腰の位置になるように形成されている。
【００３１】
この結果、内側前身頃１ｂにおいて、カップ部５の下側が大きく露出されるように形成されている。外側前身頃２ｂは、体の側方において、内側前身頃１ｂおよび後身頃１１と接続されている。また、外側前身頃２ｂは、２つの脚開口部３０に挟まれる部分において、縫合線２１に沿って後身頃１１と内側前身頃１ｂと接続されている。カップ部５の上端７は、内側前身頃１ｂの上端３ｂと連続的に接続されている。また、カップ部６の上端８は、外側前身頃２ｂの上端４ｂと連続的に接続されている。その他の構成については、第１のボディスーツと同様である。
【００３２】
図５に、本実施の形態における第３のボディスーツの斜視図を示す。前側の身頃として、互いに重なり合う２枚の身頃を備えることや、それぞれの身頃に一方または他方のカップ部が接続され、２つのカップ部は直接的に互いに接続されず、互いに離すことができるように形成されていることは、第１のボディスーツと同様である。内側前身頃１ｃの上端３ｃとカップ部５の上端７とが連続的に形成され、外側前身頃２ｃの上端４ｃとカップ部６の上端８とが連続的に形成されていることなども、第１のボディスーツと同様である。
【００３３】
第３のボディスーツは、内側前身頃１ｃと外側前身頃２ｃとが胸部と腹部との間において、体の周方向に形成された縫合線２３に縫合されている。また、内側前身頃１ｃは、縫合線２３の位置まで形成され、縫合線２３が内側前身頃１ｃの下端になっている。すなわち、縫合線２３よりも下の部分において、体の前側は外側前身頃２ｃのみによって覆われている。縫合線２３よりも上側の部分においては、内側前身頃１ｃと外側前身頃２ｃとによって体が覆われている。
【００３４】
また、ボディスーツの下部の２つの脚開口部３０に挟まれる部分においては、外側前身頃２ｃと後身頃１１とが縫合線２４に沿って縫合されている。内側前身頃１ｃは、体の側方において、外側前身頃２ｃと縫合されている。
【００３５】
その他の構成については、第１のボディスーツと同様である。
【００３６】
図６に、本実施の形態における第４のボディスーツの上部の拡大斜視図を示す。第４のボディスーツは、第１のボディスーツの構成に加えて、ホック１３ａ，１３ｂが形成されている。ホック１３ａは、内側前身頃１ａのうち、カップ部５の真下で身体の左右の方向におけるほぼ中心に配置されている。ホック１３ｂは、外側前身頃２ａのうち、カップ部６の真下で身体の左右方向におけるほぼ中心に配置されている。ホック１３ａは、外側に向かって配置され、ホック１３ｂは、内側に向かって配置されている。ホック１３ａおよびホック１３ｂは、互いに係合して固定されるように形成されている。
【００３７】
（作用・効果）
本考案に基づくボディスーツの着用方法は、従来の技術に基づくボディスーツの着用方法と同様である。すなわち、予めボディスーツの上半分（おおよそ腰に当接する部分まで）を外側に折り返す。ボディスーツの前側においては、内側前身頃と外側前身頃との両方を外側に折り返す。この状態で折り返して形成された開口部から両脚を中に入れ、２つの脚開口部３０に脚を通して、ボディスーツを上側に引き上げる。上半分を折り返したままの状態で臀部を覆うように着用し、ほぼ腰の位置まで覆うようにボディスーツを引き上げる。この際、カップ部５とカップ部６とは直接的に互いに接続されず、互いに離すことができるように形成されているため、２本の肩ひもに挟まれる部分を大きく開くことができ、臀部における引っかかりなどを防止して、スムーズに引き上げることができる。
【００３８】
次に、折り返された上半分の部分を元に戻すようにして上半分を着用する。また、２本の肩ひも９をそれぞれの肩にかけるように腕を通す。この際にも、２つのカップ部５，６が互いに離すことができるように形成されているため、容易に腕を通すことができる。一旦ボディスーツを着用すると、ボディスーツ自体が有する体の締め付け効果によって、内側前身頃、外側前身頃および後身頃は身体に密着する。
【００３９】
ボディスーツを脱ぐ際は、着用する手順と逆の手順を行なうため、着用時と同様に容易にボディスーツを脱ぐことができる。
【００４０】
このように本考案に基づくボディスーツは、容易に着脱を行なうことができる。特に、着用について図９におけるボディスーツと比較すると、図９におけるボディスーツは、前側よりも後側の方が大きく開くという特徴を有する。しかし、一般的に人間の手は前側で自由に動かすことはできても後側で自由に動かすことはできないため、着づらいという問題があった。これに対し本考案に基づくボディスーツは、後側よりも前側の方が大きく開くため、前側で容易に動かすことができる腕を容易に通すことができ、容易にボディスーツの着脱を行なうことができる。また、本考案に基づくボディスーツは、２つのカップ部が左右の両側の方向に向かって動くことができるため、個人の乳房の形に合わせて、それぞれのカップ部が移動して着用され、着心地が良くなる。
【００４１】
また、本考案におけるボディスーツは、前側に大きく開く部分が形成されているため、図９に示した後側に重なり部が形成されたボディスーツよりも、２本の肩ひもで挟まれる空間を大きく広げることができる。また、ボディスーツにおいては、腹部と臀部とを締め付ける機能を持たせる要望が多いが、図９に示すボディスーツにおいては腹部と臀部との部分を締め付ける力を強くするために、たとえば腹部について、生地を二重にすると、上半分を折り返したときの伸縮力が大きくなってしまい、着用することがさらに難しくなる。しかし、本考案に基づくボディスーツは、着脱を容易に行なうことができる。
【００４２】
また、図９に示すボディスーツにおいては、後側で重なっている部分が形成されているため、着用時に重なり部の一部が裏返ってしまう等の不都合が生じた場合においても、見づらい上に手が届きにくいため、着用後に修正しにくいという欠点を有する。これに対して、本考案に基づくボディスーツでは、前側において重なっている部分が形成されているため、予定される通りにボディスーツが着用されていなくとも容易に修正を行なうことができる。たとえば、内側前身頃の一部が、折り返って着用されている場合においても、直接見ることができ、また、容易に自らの手を使って修正することができる。
【００４３】
図１に示す第１のボディスーツにおいて、カップ部５の上端７は、内側前身頃１ａの上端と連続的に接続され、カップ部６の上端８は、外側前身頃２ａの上端４ａと連続的に接続されている。この構成を採用することにより、カップ部５の下端の線と外側前身頃２ａの上端４ａとをほぼ重ねることができる。また、カップ部６の下端の線と内側前身頃１ａの上端３ａとをほぼ重ねることができ、着用した際には、従来の技術におけるボディスーツと外観上は同じになる。このように、ボディスーツの前側にファスナーなどを取付けた場合と比較して、外側から見た美観性が向上する。また、それぞれのカップ部の下端とそれぞれの前身頃の上端３ａ，４ａとが重なるため、乳房の下側を２つの生地で押さえ込むことができ、着用時の安定性および乳房の矯正効果が向上する。
【００４４】
また、第１のボディスーツは、内側前身頃１ａが、腹部を完全に覆うように形成されている。このように、内側前身頃が少なくとも腹部まで覆うように形成されていることによって、腹部の締め付け効果および矯正効果が向上する。特に、前側において、内側前身頃と外側前身頃とが配置された二重の構成になるため、腹部の引き締め効果などは、２倍の効果を有する。また、体の周方向の長さが一番短い腹部を強く締め付けることができるために、着用時の安定性が向上する。
【００４５】
図４に示す第２のボディスーツでは、外側前身頃２ｂの上端４ｂにおいて、カップ部６と反対側の端が腰の部分までくるように大きな切欠きが形成されている。この構成を採用することによって、ボディスーツの上部をさらに大きく開口することができ、着脱がさらに容易になる。また、外側前身頃２ｂの上端４ｂが斜めになっていることから意匠性を有し、美観性がさらに向上する。
【００４６】
図５に示す第３のボディスーツにおいては、内側前身頃１ｃの下端が腹部と胸部との間に位置している。また、内側前身頃１ｃの下端に沿って形成された縫合線２３において、内側前身頃１ｃと外側前身頃２ｃとが縫合されている。この構成を採用することによって、腹部や臀部の締め付け効果を弱くして、主に乳房の形を整えるためのボディスーツを提供することができる。
【００４７】
図６に示す第４のボディスーツにおいては、内側前身頃１ａと外側前身頃２ａとにそれぞれホック１３ａまたはホック１３ｂが形成されている。これらのホック１３ａ，１３ｂが互いに固定されることによって、胸部を両側から内側に寄せて胸部を大きく見せる、いわゆるバストアップを行なうことができる。また、着用安定性が向上する。本実施の形態においては、カップ部の直下で身体の左右方向のほぼ中央部に固定部が形成されているが、特にこの形態に限られず、たとえば、外側前身頃の上端に沿って、複数個の固定部が形成されていてもよい。
【００４８】
このように、本考案に基づくボディスーツは、臀部、腹部および胸部などのそれぞれの締め付け効果や矯正効果を調整することができ、さらに、着用感に無理はないが着脱を容易に行なうことができる。
【００４９】
（実施の形態２）
（構成）
図７を参照して、本考案に基づく実施の形態２におけるボディスーツについて説明する。図７は、本実施の形態におけるボディスーツの斜視図である。
【００５０】
ボディスーツの前側において、内側前身頃１ｄの外側に外側前身頃２ｄが形成されていることや、内側前身頃１ｄの上側には、カップ部６が形成され、外側前身頃２ｄの上側には、カップ部５が形成されていることは、実施の形態１における第１のボディスーツと同様である。内側前身頃１ｄの上端３ｄとカップ部６の上端８とが連続的に形成され、外側前身頃２ｄの上端４ｄとカップ部５の上端７とが連続的に形成されていることなども、第１のボディスーツと同様である。
【００５１】
内側前身頃１ｄは、側方の縫合線２５において、外側前身頃２ｄに縫合されている。また、外側前身頃２ｄは、側方において後身頃１１に縫合されている。また、ボディスーツの下部においては、内側前身頃１ｄは、縫合線２０に沿って、後身頃１１に縫合されている。また、脚開口部３１においては、内側前身頃１ｄと外側前身頃２ｄとは縫合などによって接続されていない。
【００５２】
下部に開口が形成された脚開口部３１は、実施の形態１における脚開口部も大きく形成されている。また、脚開口部３１は、着用したときに露出される脚の付け根の部分が大きくなり、脚の付け根の部分を折り曲げたときにも抵抗感がないように形成されている。身体の側方における脚開口部３１の位置は、実施の形態１におけるボディスーツよりも高い位置になる。すなわち、本実施の形態におけるボディスーツは、いわゆるハイレグの脚開口部を有している。
【００５３】
外側前身頃２ｄは、下部に覆い部１０を含む。覆い部１０は、外側前身頃２ｄを下側に向けて延在させたものである。外側前身頃２ｄの下端すなわち覆い部１０の下端は縫合などされておらず自由端になっている。外側前身頃２ｄは、覆い部１０を含めてそれぞれの側方で後身頃１１と接続されている。覆い部１０の下端には、装飾のためにレース部４０が形成されている。覆い部１０は、下端と後身頃１１に形成された脚開口部３１の線とが連続的になるように形成されている。
【００５４】
その他の構成については実施の形態１におけるボディスーツと同様であるのでここでは説明を繰返さない。
【００５５】
（作用・効果）
ボディスーツの着用の仕方や、カップ部５とカップ部６とを互いに反対側の方向に大きく開くことができ、着脱が容易になることは、実施の形態１におけるボディスーツと同様である。また、美観性が向上することも実施の形態１におけるボディスーツと同様である。
【００５６】
本実施の形態におけるボディスーツは、脚開口部３１が大きく切欠かれている。この構成を採用することによって、前側の脚の付け根においては、ボディスーツが覆われておらず、脚の付け根を曲げた場合においても、窮屈感がなく、着用感が向上する。一方で、外側前身頃２ｄに形成された覆い部１０の下端と後身頃１１に形成された脚開口部３１の線とが連続的になるように形成されていることによって、覆い部１０と後身頃１１の臀部とが筒状になって、臀部を引き締めたり、上側に持上げるいわゆるヒップアップの効果を得たりすることができる。さらに、脚開口部３１が大きく切欠かれているため、脚の付け根が大きく露出するが、覆い部１０で露出された部分を隠すことができ、羞恥心を伴わず着用することができる。
【００５７】
その他の作用および効果については実施の形態１におけるボディスーツと同様であるのでここでは説明を繰返さない。
【００５８】
上記実施の形態においては、特に生地は指定されていないが、伸縮性を有する生地または伸縮性を有さない生地の両方の生地を使用することができる。伸縮性を有する生地を使用することによって、着脱がさらに容易になり、また、体をバランスよく引き締めたり、身体の矯正機能を高めたりすることができる。
【００５９】
上記の全ての実施の形態においては、生地と生地との結合は全て縫合で行なっているが、特にこの形態に限られず、たとえば、融着によって接続を行なってもよい。また、ボディスーツは、複数種類の生地を接続したり、立体裁断を行なった生地を部分的に用いたりすることがあり、多くの縫合線が表面に現れるが、図面においては、理解しやすくするために、多くの縫合線は省略して記載している。特に、内側前身頃と外側前身頃とは、それぞれ１種類の生地で形成されている必要はなく、複数の断片的な生地が互いに縫合されていても良い。
【００６０】
上記の全ての実施の形態においては、ボディスーツについて説明を行なったが、本考案を、腹部および胸部を覆うように形成されたいわゆるワンピース型の水着に適用することができ、同様の作用および効果を奏する。たとえば、伸縮性および防水性を有する１種類の生地を用いて、本考案に基づくワンピース型の水着を形成することができる。この結果、ボディスーツの場合と同様に、容易に着脱を行なうことができ、また、美観性が向上する水着を提供することができる。
【００６１】
そのほか、今回開示した上記形態はすべての点で例示であって制限的なものではない。本考案の範囲は上記した説明ではなくて実用新案登録請求の範囲によって示され、実用新案登録請求の範囲と均等の意味および範囲内でのすべての変更を含むものである。
【図面の簡単な説明】
【００６２】
【図１】実施の形態１における第１のボディスーツの斜視図である。
【図２】実施の形態１における第１のボディスーツの背面図である。
【図３】実施の形態１における第１のボディスーツの上部の拡大斜視図である。
【図４】実施の形態１における第２のボディスーツの斜視図である。
【図５】実施の形態１における第３のボディスーツの斜視図である。
【図６】実施の形態１における第４のボディスーツの上部の拡大斜視図である。
【図７】実施の形態２におけるボディスーツの斜視図である。
【図８】従来の技術に基づくボディスーツの斜視図である。
【図９】従来の技術に基づくボディスーツの背面斜視図である。
【符号の説明】
【００６３】
１ａ，１ｂ，１ｃ，１ｄ  内側前身頃、２ａ，２ｂ，２ｃ，２ｄ  外側前身頃、３ａ，３ｂ，３ｃ，３ｄ，４ａ，４ｂ，４ｃ，４ｄ  上端、５，６  カップ部、７，８  上端、９  肩ひも、１０  覆い部、１１  後身頃、１２  身頃、１３ａ，１３ｂ  ホック、１４  重なり部、２０，２１，２２，２３，２４，２５，２７  縫合線、３０，３１  脚開口部、４０  レース部。
【図１】
0003101901.tif 000003
【図２】
0003101901.tif 000004
【図３】
0003101901.tif 000005
【図４】
0003101901.tif 000006
【図５】
0003101901.tif 000007
【図６】
0003101901.tif 000008
【図７】
0003101901.tif 000009
【図８】
0003101901.tif 000010
【図９】
0003101901.tif 000011